(57)【要約】      （修正有）【課題】スマートフォン等、携帯型の高性能機器に備えられるカメラの機能を向上可能な装置を提供する。【解決手段】外付けレンズ装置１００は、高性能機器６２０上の取付部６００に取り外し可能に固定可能なベースプレート１１０を含む。ベースプレート１１０には、ベースプレート１１０上で回転可能なターンテーブル２００が取り付けられる。レンズを有するレンズホルダーがターンテーブル２００内に配置され、その各々は、高性能機器６２０上のカメラレンズ６２５上にドッキングするために、外径側に向かって旋回することができる。カバーは、ターンテーブル２００内のレンズホルダーおよびレンズを固定且つ保護する。また、高性能機器６２０に固定可能な、クリーニング装置が提供される。クリーニング装置は、高性能機器６２０上の取付部６００に固定可能なプラットフォーム、およびプラットフォーム上に配置されたクリーニングパッドを含む。【選択図】図６Ｂ
2015129930.tif 000002
【特許請求の範囲】
【請求項１】
高性能機器用の外付けレンズ装置であって、該外付けレンズ装置は、
高性能機器上の取付部に取り外し可能に固定可能な、ベースプレート；
ベースプレートに取り付けられる且つその上で回転可能な、ターンテーブル；
共に旋回する関係でターンテーブル上に配置される、複数のレンズホルダー；
レンズホルダー内に各々が固定された、複数のレンズ；および、
レンズホルダーに対してカバーする関係で配置され、それに取り付けられる、カバー、を含むことを特徴とする、外付けレンズ装置。
【請求項２】
ベースプレートが、略円形の本体を含み、該本体は、開いた上部表面および下部表面をその上で画成する複数の縁部を有し、該複数の縁部が、
それを通す開口部を有する上方に垂直な部分および該垂直な部分から側方且つ内側に伸びるフランジ部分を備える、第１縁部；
第１縁部のフランジ部分の下に及びそれに接して配置された、およびそこから側方且つ内側に伸びる、第２縁部であって、その上部表面のまわりに形成された複数の止め具を有する、第２縁部；および、
第２縁部の下に及びそれに接して配置された、および第２縁部の直径と等しい又はそれより短い直径を有している、第３縁部であって、その外端上に形成された取付部を取り外し可能に係合するための手段を有する、第３縁部を含み、該ベースプレートがさらに、
第１縁部に配置された着脱機構；および、
着脱機構と対向する関係で第１縁部から形成された、スロット、を含むことを特徴とする、請求項１に記載の外付けレンズ装置。
【請求項３】
着脱機構が、スプリングと組み合わさったフランジ端部を備える押しボタンを含み、フランジ端部が第３縁部上の係合手段へと伸びるように、第１縁部上に位置付けられる、請求項２に記載の外付けレンズ装置。
【請求項４】
係合手段が、対向する関係で第３縁部の外部上に配置された二対のＬ字型のスロットを含む、請求項３に記載の外付けレンズ装置。
【請求項５】
ターンテーブルが、上部レンズプレートを含み、該上部レンズプレートが、
第１縁部および第２縁部両方のフランジ部分上に設置されるように、その外端上にリップを有している、略円形の上部プレート部分；
第２縁部によって形成された開いた下部表面内に設置された、円形の下部プレート部分；および、
上部プレート部分および下部プレート部分を介して配置された、複数の取付用開口部を有し；該ターンテーブルはさらに、
第３縁部によって形成された開いた下部表面内に設置され、上部レンズプレート上の取付用開口部と整列してその上部表面に複数の取付用開口部を有している、下部レンズプレートを含み、該下部レンズプレートは、上部レンズプレートおよび下部レンズプレートが、第１縁部および第２縁部のまわりで一緒に回転するように、整列した取付用開口部を介して上部レンズプレートに取り付けられる、請求項２に記載の外付けレンズ装置。
【請求項６】
上部レンズプレートが、アーチ形の外部輪郭を備える複数のアームを含み、該アームは、その中心から半径方向に伸びて、該アーム間のアーチ形の内側輪郭を備える複数のレンズプレート開口部を画成しており、該レンズプレート開口部の各々は、ターンテーブルが回転すると、第１縁部の開口部と連続して整列させることが可能である、請求項５に記載の外付けレンズ装置。
【請求項７】
上部レンズプレートが、各アーム上に、
レンズホルダー上の対応する凹部と一致する寸法を有するアームの表面から隆起した止め具；
アームの端部上に配置されたアーチ形の外部輪郭を有する、スペーサーであって、該アームが、そこから上方に伸び、その上部表面上の取付用開口部を含む、スペーサー；
上部レンズプレートから上方に伸びる、第１スリーブであって、該上部レンズプレートが、その上部表面上に配置された取付用開口部を有し、その外部のまわりに配置されたスプリングを有している、第１スリーブ；
上部レンズプレートおよび下部レンズプレートを介して下方に伸び、開いた下部表面を有している、第２スリーブ；および、
第２スリーブ内に配置された、スプリングとベアリングとの組み合わせ、を有し、該ベアリングは、ターンテーブルが回転されて、その後、第２縁部の止め具に係合した後に、ターンテーブルがベースプレート上の位置に残るように、第２縁部を含む止め具と一致する寸法を有している、請求項６に記載の外付けレンズ装置。
【請求項８】
レンズホルダーが、外部のアーチ形の輪郭を備える細長い本体を有し、該細長い本体は、
その中に固定されたレンズおよび外部のアーチ形の輪郭の上端部と下端部との間で形成されたリップを有している、レンズ保持部分；
開口部を有する、固定部分であって、第１スリーブおよびスプリングがその中に配置される、固定部分；および、
フランジクリップであって、レンズ保持部分に近接した固定部分の下部表面上に配置され、そこから下方に下がっている、フランジクリップ、を含む、請求項５に記載の外付けレンズ装置。
【請求項９】
レンズ保持部分上のリップに対する上向きの作用によって、レンズホルダーが、第１スリーブのまわりで外側に旋回し、それによって、フランジクリップが、第１縁部上のスロットに着脱可能にクリップで留めることができ、レンズが、高性能機器上のカメラレンズの前に固定して位置付けられる、請求項８に記載の外付けレンズ装置。
【請求項１０】
レンズホルダーが、スペーサー間の上部レンズプレート上に位置付けられ、それによって、レンズホルダーおよびスペーサーの外部のアーチ形の表面は、ベースプレートのまわりに略連続的なアーチ形の表面を形成する、請求項８に記載の外付けレンズ装置。
【請求項１１】
カバーが、
周方向にその上部表面のまわりで隆起した外側縁部および内側縁部を有している、円形の下部カバープレートを含み、該円形の下部カバープレートが、
スペーサーを含む取付用開口部と整列してその下部表面に配置され、その内側で係留された、複数のアンカー；
外側縁部と内側縁部との間に配置され、第１スリーブ上の取付用開口部と整列可能な、複数の開口部；
カバー開口部を介して配置され、取付用開口部内に固定された、複数のねじを含み、該カバーがさらに、
外側縁部と内側縁部との間で配置された、開口中心部を有している、円形の上部カバープレートを含む、請求項５に記載の外付けレンズ装置。
【請求項１２】
取付部が、高性能機器の裏面から形成された開いた上部表面を有する略円形の本体を有し、第１縁部を含む係合手段を受け取るための手段を含む、請求項２に記載の外付けレンズ装置。
【請求項１３】
受け取るための手段が、対向する関係で取付部の内側の側面上に配置された二対のＬ字型のスロットを含む、請求項１２に記載の外付けレンズ装置。
【請求項１４】
ベースプレートが取付部に固定されるときに、第１縁部の開口部が、カメラレンズに近接して位置付けられる、請求項１２に記載の外付けレンズ装置。
【請求項１５】
レンズが、広角レンズ、望遠レンズまたは魚眼レンズを含む、請求項１に記載の外付けレンズ装置。
【請求項１６】
高性能機器が、スマートフォンまたはタブレットである、請求項１に記載の外付けレンズ装置。
【請求項１７】
高性能機器上のスクリーン用のクリーニング装置であって、該クリーニング装置は、
高性能機器上の取付部に取り外し可能に固定可能な、プラットフォーム；および、
プラットフォームの下部表面に付けられた、クリーニングパッドを含むことを特徴とする、クリーニング装置。
【請求項１８】
クリーニングパッドが、その中に含浸したドライクリーニング化合物を含む、請求項１７に記載のクリーニング装置。
【請求項１９】
プラットフォームが、円形の本体を有し、該円形の本体は、
着脱機構およびその上部表面に配置されたキックスタンドを有する、上部プラットフォーム部分；および
上部プラットフォームの直径よりも短い直径を有し、その外端上に形成された取付部を取り外し可能に係合するための手段を有する、下部プラットフォーム部分を含む、請求項１７に記載のクリーニング装置。
【請求項２０】
着脱機構が、レバー端部およびフランジ端部を含み、フランジ端部が下部プラットフォーム上の係合手段へと伸びるように、上部プラットフォーム上に位置付けられる、請求項１９に記載のクリーニング装置。
【請求項２１】
取付部が、高性能機器の裏面から形成された開いた上部表面を有する略円形の本体を有し、下部プラットフォーム部分を含む係合手段を受け取るための手段を含む、請求項１７に記載のクリーニング装置。
【請求項２２】
係合手段および受け取るための手段が、各々、二対のＬ字型のスロットを含み、対のＬ字型のスロットの２つは、対向する関係で下部プラットフォーム部分上に配置され、対のＬ字型のスロットのもう２つは、対向する関係で取付部の内側の側面上に配置される、請求項２１に記載のクリーニング装置。
【請求項２３】
高性能機器が、スマートフォンまたはタブレットである、請求項１７に記載のクリーニング装置。
【請求項２４】
携帯型のカメラシステムであって、該携帯型のカメラシステムは、
その裏面上に形成された取付部を有する、高性能機器；
取付部に取り外し可能に固定可能な、請求項１の外付けレンズ装置；および、
取付部に取り外し可能に固定可能な、クリーニング装置、を含むことを特徴とする、携帯型のカメラシステム。
【請求項２５】
クリーニング装置が、
着脱機構およびその上部表面に配置されたキックスタンドを有する上部プラットフォーム部分、および上部プラットフォームの直径よりも短い直径を有し、その外端上に形成された取付部を取り外し可能に係合するための手段を有する、下部プラットフォーム部分を備える、円形のプラットフォームを含む、請求項２４に記載の携帯型のカメラシステム。
【請求項２６】
着脱機構が、レバー端部、および下部プラットフォーム上の係合手段へと伸びるように上部プラットフォームに配置された、フランジ端部を含む、請求項２５に記載の携帯型のカメラシステム。
【請求項２７】
係合手段が、対向する関係で下部プラットフォーム部分上に配置された二対のＬ字型のスロットを含む、請求項２５に記載の携帯型のカメラシステム。
【発明の詳細な説明】
【技術分野】
【０００１】
＜関連出願への相互参照＞
本出願は、２０１４年２月２８日に出願され、放棄された、米国仮特許出願第６１／９４６，５１３号、および２０１４年１月７日に出願され、米国仮特許出願第６１／９２４，４７９号の３５ Ｕ．Ｓ．Ｃ．§１１９（ｅ）の下で優先権の利益を主張し、それら両方の全体が、引用によって本明細書に組み込まれる。
【０００２】
本発明は、携帯型の高性能電子装置およびデジタル写真および動画撮影の分野に一般に関連する。より具体的には、本発明は、携帯型の高性能機器の裏面へ取り外し可能に取り付け可能であり、高性能機器のカメラレンズと整列可能である、カメラレンズを含む、機器、装置、およびシステムに関する。
【背景技術】
【０００３】
＜関連技術の詳細＞
今日の社会では、携帯電話、タブレットコンピューターおよび他のデジタル製品などのデジタル高性能機器は、一般的な日用品となっている。今日、デジタルカメラは、高性能機器の標準部品である。しかしながら、構造的な制限により、その特徴は、「ポイント・アンド・クリック（ｐｏｉｎｔ ａｎｄ ｃｌｉｃｋ）」であるにすぎず、異なるタイプのレンズなどを利用する、より複雑な撮影を行うことができないかもしれないその上、高性能機器、例えば、スマートフォン上のカメラレンズの位置決めは、しばしば、そのような付属品の使用を排除している。
【０００４】
高性能機器のカメラの写真または動画の撮影の性能を向上させる機器が考案されている。例えば、１セットの３つのレンズが、スマートフォンケース（ｗｗｗ．ｈａｍａｃｈｅｒ．ｃｏｍ； Ｉｔｅｍ ８４３９４）に回転可能に付けられている。スマートフォンがケース内に位置付けられるときに、３つのレンズダイヤルを含むレンズは、スマートフォンのカメラレンズを整列させるために回転され得る。しかしながら、３つのレンズダイヤルおよびレンズは、ケースに恒久的に付けられ、各レンズは、それを保護するためにレンズキャップを有していなければならない。その上、ダイヤルがスマートフォンの幅を越えて広がる寸法を有しているため、３つのレンズのケースと組み合わせたスマートフォンは、例えば、ベルトホルスターによって運ぶことができない。
【０００５】
したがって、高性能機器のフットプリントを変更せずにカメラ機能を向上させる、スマートフォンなどの携帯型の高性能機器用の外付けレンズシステムが当該技術分野において必要であると認識されている。特に、先行技術は、携帯型のスマートフォン上の既存のカメラを向上させるために携帯型の機器の裏面に取り外し可能に且つ回転可能に取り付けられ得る、複数のカメラレンズを含む装置およびシステムが不足している。本発明は、当該技術分野におけるこの長年の必要性および要望を満たすものである。
【発明の概要】
【課題を解決するための手段】
【０００６】
本発明は、高性能機器用の外付けレンズ装置に関する。本装置は、高性能機器上の取付部に取り外し可能に固定可能なベースプレート、およびベースプレートに取り付けられる且つその上で回転可能なターンテーブルを含む。複数のレンズホルダーが、共に旋回する関係でターンテーブル上に配置され、複数のレンズの各々は、レンズホルダー内に固定される。カバーが、レンズホルダーに対してカバーする関係で配置され、それに取り付けられる。
【０００７】
本発明はまた、高性能機器上のスクリーン用のクリーニング装置に関する。クリーニング装置は、高性能機器上の取付部に取り外し可能に固定可能なプラットフォーム、およびプラットフォームの下部表面に付けられたクリーニングパッドを含む。関連するクリーニング装置では、クリーニングパッドは、その中に含浸したドライクリーニング化合物（ｄｒｙ ｃｌｅａｎｉｎｇ ｃｏｍｐｏｕｎｄ）をさらに含む。
【０００８】
本発明は、携帯型のカメラシステムにさらに関する。該システムは、高性能機器であって、その裏面上に形成された取付部を有する高性能機器、および本明細書に記載されるように、取付部に取り外し可能に且つ交換可能に固定可能な外付けレンズ装置およびクリーニング装置を含む。
【０００９】
本発明の他の及びさらなる態様、特徴および利点は、開示の目的で与えられた本発明の現在の好ましい実施形態の以下の記載から明らかになる。
【図面の簡単な説明】
【００１０】
本発明の上述された特徴、利点および目的の他に、より明らかになる他のものが、達成される且つ詳細に理解され得るように、上に簡潔に要約された本発明のより具体的な記載が、添付の図面で例証されるその実施形態への言及によって説明され得る。これらの図面は、明細書の一部を形成する。しかしながら、添付の図面は、本発明の好ましい実施形態を例証し、それ故、それらの範囲内で限定するものとして考慮されるべきではないことに留意されたい。
【００１１】
【図１Ａ】図１Ａは、外付けレンズ装置用の着脱機構についての分解図でのベースプレートの斜視図である。
【図１Ｂ】図１Ｂは、外付けレンズ装置用の着脱機構についての組み立て図でのベースプレートの斜視図である。
【図２Ａ】図２Ａは、図１Ｂのベースプレートの透視図、および上部および下部の回転可能なレンズ支持プレートの分解図である。
【図２Ｂ】図２Ｂは、図１Ｂのベースプレートの透視図、および組み立てた回転可能なレンズ支持アセンブリの図である。
【図３Ａ】図３Ａは、上面視からの、図２Ｂの回転可能なレンズ支持アセンブリおよびレンズについての斜視の分解図および組み立て図である。
【図３Ｂ】図３Ｂは、底面視からの、図２Ｂの回転可能なレンズ支持アセンブリおよび平面図からのレンズについての斜視の分解図および組み立て図である。
【図３Ｃ】図３Ｃは、組み立てた回転可能なレンズアセンブリの斜視図である。
【図３Ｄ】図３Ｄは、レンズアセンブリ内のレンズホルダーを示す、斜視の切り取り底面図である。
【図４Ａ】図４Ａは、図３Ｂの回転可能なレンズアセンブリおよび上部および下部のレンズカバープレートの透視図である。
【図４Ｂ】図４Ｂは、下部のレンズカバープレートが固定された回転可能なレンズアセンブリの透視図である。
【図４Ｃ】図４Ｃは、上部のレンズカバープレートが固定された組み立てた外付けレンズ装置の透視図である。
【図５】図５は、組み立てた外付けレンズ装置の底側面の透視図である。
【図６Ａ】図６Ａは、外付けレンズ装置を固定するための取付ベースを描写する。
【図６Ｂ】図６Ｂは、取付ベースを有する外付けレンズ装置の整列を例証する。
【図７Ａ】図７Ａは、取付ベースに固定された外付けレンズ装置を例証する。
【図７Ｂ】図７Ｂは、取付ベースに固定された外付けレンズ装置、およびスマートフォンのカメラレンズ上の位置へと外側に回転したレンズの１つを例証する。
【図８Ａ】図８Ａは、スマートフォン用のクリーニング装置のクリーニングパッドを備える下部表面の斜視図を示す。
【図８Ｂ】図８Ｂは、スマートフォン用のクリーニング装置の上部表面の透視図である。
【図９Ａ】図９Ａは、下部の斜視からの、クリーニング装置の整列を例証する、クリーニング装置用の取付ベースを描写する。
【図９Ｂ】図９Ｂは、上部の斜視からの、クリーニング装置の整列を例証する、クリーニング装置用の取付ベースを描写する。
【図１０Ａ】図１０Ａは、取付ベースに固定されたクリーニング装置を例証する。スマートフォン（図１０Ｂ）のスクリーンを洗浄ために、クリーナ装置がどのように利用されるか示す。
【図１０Ｂ】図１０Ｂは、クリーニング装置が、スマートフォンのスクリーンのクリーニングにどのように利用されるかを例証する。
【発明を実施するための形態】
【００１２】
本明細書で使用されるように、「ａ」または「ａｎ」は、１つ以上を意味し得る。請求項で使用されるように、用語「含む（ｃｏｍｐｒｉｓｉｎｇ）」と一緒に使用されるときに、用語「ａ」または「ａｎ」は、１つ以上を意味し得る。
【００１３】
本明細書で使用されるように、「別の（ａｎｏｔｈｅｒ）」または「他の（ｏｔｈｅｒ）」は、少なくとも第２の又は略同じ又は異なる請求項の要素またはその構成要素を意味し得る。同様に、用語「または（ｏｒ）」は、文脈が他に明確に明示していない限り、「および（ａｎｄ）」を含むように意図される。「含む（ｃｏｍｐｒｉｓｅ）」は「含む（ｉｎｃｌｕｄｅ）」を意味する。
【００１４】
本明細書で使用されるように、用語「約（ａｂｏｕｔ）」は、明確に示されていようと示されていなくても、例えば、整数、分数、およびパーセントを含む、数値を指す。用語「約」は、当業者が、詳述される値と同等である（例えば、同じ機能または結果を有する）と考えるであろう、様々な数値（例えば、詳述された値の＋／−５乃至１０％）を一般に指す。幾つかの例では、用語「約」は、最も近い有効数字に四捨五入される数値を含み得る。
【００１５】
本発明の１つの実施形態では、高性能機器用の外付けレンズ装置が提供され、該外付けレンズ装置は、高性能機器上の取付部に取り外し可能に固定可能な、ベースプレート；ベースプレートに取り付けられる且つその上で回転可能な、ターンテーブル；共に旋回する関係でターンテーブル上に配置される、複数のレンズホルダー；レンズホルダー内に各々が固定された複数のレンズ；およびレンズホルダーに対してカバーする関係で配置され、それに取り付けられる、カバー、を含む。
【００１６】
本実施形態では、ベースプレートは、略円形の本体を含んでもよく、該本体は、開いた上部表面および下部表面をその上で画成する複数の縁部を有し、ここで、複数の縁部は、それを通す開口部を有する上方に垂直な部分および前記垂直な部分から側方且つ内側に伸びるフランジ部分を備える、第１縁部；第１縁部のフランジ部分の下に及びそれに接して配置された、およびそこから側方且つ内側に伸びる、第２縁部であって、その上部表面のまわりに形成された複数の止め具を有する、第２縁部；および、第２縁部の下に及びそれに接して配置された、および第２縁部の直径と等しい又はそれより短い直径を有している、第３縁部であって、その外端上に形成された取付部を取り外し可能に係合するための手段を有する、第３縁部、を含み、該ベースプレートはさらに、第１縁部に配置された着脱機構；および着脱機構と対向する関係で第１縁部から形成された、スロット、を含んでもよい。
【００１７】
本実施形態の態様では、着脱機構は、スプリングと組み合わさったフランジ端部を備える押しボタンを含んでもよく、フランジ端部が第３縁部上の係合手段へと伸びるように、第１縁部上に位置付けられる。本態様では、係合手段は、対向する関係で第３縁部の外部上に配置された二対のＬ字型のスロットを含んでもよい。
【００１８】
本実施形態ではまた、ターンテーブルは、上部レンズプレートを含んでもよく、該上部レンズプレートは、第１縁部および第２縁部両方のフランジ部分上に設置されるように、その外端上にリップを有している、略円形の上部プレート部分；第２縁部によって形成された開いた下部表面内に設置された、円形の下部プレート部分；および上部プレート部分および下部プレート部分を介して配置された、複数の取付用開口部、を有し；該ターンテーブルはさらに、第３縁部によって形成された開いた下部表面内に設置され、上部レンズプレート上の取付用開口部と整列してその上部表面に複数の取付用開口部を有している、下部レンズプレートを含んでもよく、該下部レンズプレートは、上部レンズプレートおよび下部レンズプレートが、第１縁部および第２縁部のまわりで一緒に回転するように、整列した取付用開口部を介して上部レンズプレートに取り付けられる。
【００１９】
その態様では、上部レンズプレートは、アーチ形の外部輪郭を備える複数のアームを含んでもよく、該アームは、その中心から半径方向に伸びて、該アーム間のアーチ形の内側輪郭を備える複数のレンズプレート開口部を画成しており、該レンズプレート開口部の各々は、ターンテーブルが回転すると、第１縁部の開口部と連続して整列させることが可能である。この態様ではさらに、上部レンズプレートは、各アーム上に、レンズホルダー上の対応する凹部と一致する寸法を有するアームの表面から隆起した止め具；アームの端部上に配置されたアーチ形の外部輪郭を有する、スペーサーであって、該アームが、そこから上方に伸び、その上部表面上の取付用開口部を含む、スペーサー；上部レンズプレートから上方に伸びる、第１スリーブであって、該上部レンズプレートが、その上部表面上に配置された取付用開口部を有し、その外部のまわりに配置されたスプリングを有している、第１スリーブ；上部レンズプレートおよび下部レンズプレートを介して下方に伸び、開いた下部表面を有している、第２スリーブ；および第２スリーブ内に配置された、スプリングとベアリングとの組み合わせ、を有してもよく、該ベアリングは、ターンテーブルが回転されて、その後、第２縁部の止め具に係合した後に、ターンテーブルがベースプレート上の位置に残るように、第２縁部を含む止め具と一致する寸法を有している。
【００２０】
さらに、本実施形態では、レンズホルダーは、外部のアーチ形の輪郭を備える細長い本体を有してもよく、該細長い本体は、その中に固定されたレンズおよび外部のアーチ形の輪郭の上端部と下端部との間で形成されたリップを有している、レンズ保持部分；開口部を有する、固定部分であって、第１スリーブおよびスプリングがその中に配置される、固定部分；およびフランジクリップであって、レンズ保持部分に近接した固定部分の下部表面上に配置され、そこから下方に下がっている、フランジクリップ、を含む。その態様では、レンズ保持部分上のリップに対する上向きの作用によって、レンズホルダーは、第１スリーブのまわりで外側に旋回し、それによって、フランジクリップを、第１縁部上のスロットに着脱可能にクリップで留めることができ、レンズは、高性能機器上のカメラレンズの前に固定して位置付けられる。別の態様では、レンズホルダーは、スペーサー間の上部レンズプレート上に位置付けられてもよく、それによって、レンズホルダーおよびスペーサーの外部のアーチ形の表面は、ベースプレートのまわりに略連続的なアーチ形の表面を形成する。
【００２１】
さらに、本実施形態では、カバーは、周方向にその上部表面のまわりで隆起した外側縁部および内側縁部を有している、円形の下部カバープレートを含んでもよく、該円形の下部カバープレートは、スペーサーを含む取付用開口部と整列してその下部表面に配置され、内で係留された、複数のアンカー；外側縁部と内側縁部との間に配置され、第１スリーブ上の取付用開口部と整列可能な、複数の開口部；カバー開口部を介して配置され、取付用開口部内に固定された、複数のねじ、を含み、該カバーはさらに、外側縁部と内側縁部との間で配置された、開口中心部を有している、円形の上部カバープレートを含んでもよい。
【００２２】
またさらに、本実施形態では、取付部は高性能機器の裏面から形成された開いた上部表面を有する略円形の本体を有してもよく、第１縁部を含む係合手段を受け取るための手段を含んでもよい。その１つの態様では、受け取るための手段は、対向する関係で取付部の内側の側面上に配置された二対のＬ字型のスロットを含んでもよい。別の態様では、ベースプレートが取付部に固定されるときに、第１縁部の開口部は、カメラレンズに近接して位置付けられる。
【００２３】
すべての実施形態において、レンズは、広角レンズ、望遠レンズまたは魚眼レンズであり得る。また、高性能機器は、スマートフォンまたはタブレットであり得る。
【００２４】
本発明の別の実施形態では、高性能機器上にスクリーン用のクリーニング装置が提供され、該クリーニング装置は、高性能機器上の取付部に取り外し可能に固定可能な、プラットフォーム；およびプラットフォームの下部表面に付けられた、クリーニングパッドを含む。さらに、本実施形態では、クリーニングパッドは、その中に含浸したドライクリーニング化合物を含んでもよい。
【００２５】
実施形態およびその態様の両方では、高性能機器は、スマートフォンまたはタブレットであり得る。両方の実施形態では、プラットフォームは、円形の本体を有してもよく、該円形の本体は、着脱機構およびその上部表面に配置されたキックスタンドを有する、上部プラットフォーム部分；および上部プラットフォームの直径よりも短い直径を有し、その外端上に形成された取付部を取り外し可能に係合するための手段を有する、下部プラットフォーム部分を含む。本実施形態の１つの態様では、着脱機構は、レバー端部およびフランジ端部を含んでもよく、ここで着脱機構は、フランジ端部が下部プラットフォーム上の係合手段へと伸びるように、上部プラットフォーム上に位置付けられる。
【００２６】
両方の実施形態ではまた、取付部は高性能機器の裏面から形成された開いた上部表面を有する略円形の本体を有してもよく、下部プラットフォーム部分を含む係合手段を受け取るための手段を含んでもよい。その１つの態様では、係合手段および受け取るための手段は各々、二対のＬ字型のスロットを含んでもよく、ここで対のＬ字型のスロットの２つは、対向する関係で下部プラットフォーム部分上に配置され、対のＬ字型のスロットのもう２つは、対向する関係で取付部の内側の側面上に配置される。
【００２７】
本発明のまた別の実施形態では、携帯型のカメラシステムが提供され、該携帯型のカメラシステムは、その裏面上に形成された取付部を有する、高性能機器；取付部に取り外し可能に固定可能な上に記載されるような、外付けレンズ装置；および取付部に取り外し可能に固定可能な、クリーニング装置、を含む。
【００２８】
本実施形態では、クリーニング装置は、着脱機構およびその上部表面に配置されたキックスタンドを有する上部プラットフォーム部分、および上部プラットフォームの直径よりも短い直径を有し、その外端上に形成された取付部を取り外し可能に係合するための手段を有する、下部プラットフォーム部分を備える、円形のプラットフォームを含んでもよい。本実施形態の態様では、着脱機構は、レバー端部、および下部プラットフォーム上の係合手段へと伸びるように上部プラットフォームに配置された、フランジ端部、を含んでもよい。別の態様では、係合手段は、対向する関係で下部プラットフォーム部分上に配置された二対のＬ字型のスロットを含んでもよい。
【００２９】
本明細書には、外付けレンズ装置、およびスマートフォンなどの、携帯型の高性能機器のカメラ機能を増強するように構成された、カメラシステムが提供される。外付けレンズ装置は、複数の異なるレンズのタイプを含む、マルチレンズ装置である。高性能機器に取り外し可能に取り付けられるか又は固定されることで、ユーザーは、写真または動画の機会を増強するために、迅速且つ容易に専門のレンズを利用するように構成されたシステムを有する。例えば、レンズは、限定されないが、広角レンズ、望遠レンズまたは魚眼レンズなどの、専門のレンズであってもよい。
【００３０】
１つの特定のシステムは、高性能機器に配置された、カメラレンズおよび取付部を含んでいる回転ホルダーを有する回転可能なターンテーブル構造を含む。外付けレンズ装置は、取付部に取り外し可能に取り付けるように構造上構成された、ベースまたはベースプレートを含む。一般に、外付けレンズ装置は、円形であり、高性能機器上の取付部の幅ほどの直径、またはそれ以下の直径を有し、そのどちらも高性能機器の表面の長さ及び幅を超えない。したがって、取付部に取り付けられたときの外付けレンズ装置は、ユーザーによる高性能機器の保持を制限しない。さらに、外付けレンズ装置の構成部品は、軽量だが頑丈な物質から製造され得る。これは、既存の高性能機器に最小限の重量を与え、より優れたユーザー体験を可能にする。
【００３１】
外付けレンズ装置は、本明細書に記載されるように、取付部に容易に取り付けられるか又は固定され、およびそこから取外し可能である。携帯型の高性能機器に取り付けられるか又は固定されるときに、ユーザーは、高性能機器上のカメラレンズに近接して適切なレンズを位置付けるために、そのベース上のターンテーブルを回転させることができる。対象のレンズは、装置から旋回され得ることで、高性能機器のカメラレンズの前に及びそれと整列してドッキングする。ドッキングされたレンズは、所定の位置に着脱可能に固定され得る。
【００３２】
ベースプレート上の回転可能なターンテーブルの組み合わせは、レンズが、ドッキングのために旋回されるためにベースプレート上の特定の配置に回転されなければならないような組み合わせである。これによって、他のレンズのターンテーブル内への固定が維持される。ユーザーが外付けレンズ装置を取り付け終えたときに、ターンテーブルは、次の止め具に回転され、これによって、レンズがターンテーブルから旋回するのを防ぎ、傷つけられる又はそうでなければ損傷されることを防ぐ。ターンテーブルの回転を止める手段に加えて、ターンテーブルは、装置内のレンズホルダーを固定するための止め具を含む。
【００３３】
使用されていないときに、レンズは、装置内に完全に格納されて、表面から突出せず、それによって、外付けレンズ装置の輪郭と一致する平滑表面が形成される。これによって、レンズの損傷を保護する。使用時に、レンズは、外付けレンズ装置が取付部から伸びるよりも遠く高性能機器の裏面から伸びることはない。外付けレンズ装置は、携帯型の高性能機器のカメラにより有用な他のレンズまたは付属品を保持または支持するように構成され得る。
【００３４】
したがって、使用されていないときに、外付けレンズ装置は、次の写真かまたは動画の機会まで、取り外され、安全に格納されて、容易に運ばれ得る。レンズは、使用されていないときに高性能機器上で持ち運ばれないため、さらに保護される。その上、取付部は、スマートフォン上で適所に形成され、ベルトホルスター、ケースまたはポケットなどの中のスマートフォンを運ぶ妨げにはならない。
【００３５】
外付けレンズ装置は、限定されないが、取付部を装置のひねりによって係合するスロットまたはスロット様の機構などの手段を含む。取付部は、カメラレンズに近接した高性能機器上に配置され、高性能機器の表面の寸法以下の寸法を有している。取付部は、装置上の機構を受け入れる及びそれとかみ合うターンテーブルのベース上の機構に対する相補的な手段または機構を含む。
【００３６】
あるいは、取付部は、高性能機器上でのような保護カバー上に形成され得る。保護カバーは、携帯型の機器の既存の裏面カバーに取り外し可能に取り付けられるように、またはそれと取り替えるように設計される。保護カバーは、カメラレンズと整列する開口部を備える高性能機器の裏面上を滑るのに十分な寸法を有し得る。
【００３７】
本明細書にはまた、高性能機器のスクリーンを洗浄ための装置が提供される。クリーニング装置は、クリーニングパッドを含み、外付けレンズ装置のための取付部に係合するように構造上構成される。クリーニング装置は、支持プラットフォームまたはベースを含み、その上でクリーニングパッドは、既知の標準的な方法によって恒久的に又は取り外し可能に付けられる。支持ベースはまた、それに付けられた、当該技術分野で知られているようなキックスタンドを有してもよい。支持ベースは、本明細書に記載されるように、外付けレンズ装置を取付部に固定する手段によって取付部に取り外し可能に固定可能である。支持ベースは、外付けレンズ装置でのような、軽量だが頑丈な物質から製造され得る。
【００３８】
クリーニング装置の寸法は、高性能機器および高性能機器上のスクリーンの表面の寸法を超えない。クリーニング装置は、ベルトホルスター、ケースまたはポケットなどの中のスマートフォンを運ぶことを妨げずに、高性能機器上で運ばれ得る。取付部に固定されたときのクリーニング装置はまた、キックスタンドをその上に配置されることで、表面上の高性能機器を立たせるか又は支持する手段を提供する。クリーニング装置は、高性能機器のスクリーンを洗浄ために、及び／又は必要に応じて又はユーザーによって望まれると、外付けレンズ装置と交換されるために、容易且つ迅速に取り外され得る。
【００３９】
クリーニング装置が取付部に取り外し可能に固定可能であることで、クリーニングパッドは、クリーナ装置が取付部に固定されるときに形成された空洞内に格納または保護される。特に、クリーニング装置の１つの利点は、ドライクリーニング化合物が、永続且つ自己補充するクリーニングパッド中で利用されるということである。これは、ウェットクリーニング用の洗剤を利用する洗浄システム以上の改善である。本発明のドライクリーニング化合物は、類似するウェットクリーニング用の洗剤より長い貯蔵期間を有する。ドライクリーニング化合物は、クリーニングパッド中に含浸し、反射防止コーティングおよび疎油的なコーティングなどのコーティングに無害な、無溶媒の有機化合物を含む。クリーニング装置の別の利点は、クリーニング部材として利用されるパッドが、スクリーンを傷つけない又はその仕上がりに影響与えない、柔らかい天然素材を含むということである。
【００４０】
下記に述べられるように、本発明は、多くの利点および使用を提供するが、そのような利点および使用は、そのような記載によって限定されない。本発明の実施形態は、図面にを参照してより好適に例証されるが、そのような参照は、任意の方法で本発明を制限するようには意図されない。本明細書で詳細に記載される実施形態および変形は、添付の請求項およびその同等物によって解釈される。
【００４１】
図１Ａは、外付けレンズ装置用のベースプレートの構造的な図である。図１Ａでは、ベースプレート１１０は、開いた上部表面１１２ａおよび下部表面１１２ｂを有する略円形の本体を含む。円形の本体は、円形の本体のまわりの階層状の構成において、円形の開いた本体のまわりで縦にまたは垂直に上方に伸びる、上部のフランジ付きの第１縁部１１４ａ、第１縁部の下の、およびそこから内側に且つ縦に又は横に伸びる、第２縁部１１４ｂ、および第２縁部の下の、および周囲に配置された第２縁部から下方へ伸びる、第３縁部１１４ｃ、を含む。
【００４２】
第１縁部１１４ａは、その内周のまわりで内側に及びそこから縦に伸び、第３縁部の上部表面上に配置された、垂直部分１１５ａまたは構成要素およびフランジ部分１１５ｂまたは構成要素を含む。第１縁部は、回転可能なレンズのターンテーブル２００上のアーチ形の開口部２１６ａ、ｂ、ｃ、２５４ａ、ｂ、ｃの１つと整列することができる、開口部１１６を有し、そこを通って、レンズは、外側に回転され得る（図２Ａ−２Ｂを参照）。スロット１１８またはブラケットなどの受け取るための手段が、第１縁部の外側表面上に配置されるか又はそこからから形成され、レンズホルダー３００ａ、ｂ、ｃに配置されたフランジクリップ３１２ａ、ｂ、ｃを受けるように構造上構成される（図３Ａ−３Ｃを参照）。着脱機構１２０が、受け取るための手段と対向する関係で第１縁部の外側表面に配置される。着脱機構は、フランジ端部１２２およびスプリング１２４の組み合わせを備える押しボタン１２１を含み、それによって、フランジ端部は、押されたときに、取付部６００から離れ（図６Ａ−６Ｂを参照）、外付けレンズ装置は取付ベースから解放される。
【００４３】
第２縁部１１４ｂは、第１縁部のフランジ部分より短い内部径を有しており、フランジ下に位置付けられると、第１縁部との階段状の構成を形成する。第２縁部は、その上部表面のまわりに配置された、１１７ａ、ｂ、ｃによって表わされるような、複数の凹部を含む。凹部は、止め具を含み、ターンテーブルが回転するときに、対応するベアリング２４７ａ、ｂ、ｃを受けるように構造上構成される（図２Ａを参照）。これによって、ターンテーブルは、ユーザーによって回転されない限り、回転しないように十分に固定される。
【００４４】
第３縁部１１４ｃは、第１縁部より短いが、取付部６００の内部径と同等の外径を有している。第３縁部は、外付けレンズ装置を、取付部上の構造上対応するＬ字型のスロットの受け取るための手段に取り外し可能に取り付ける又は固定するための、構造上構成された係合手段を含む（図６Ａ−６Ｂを参照）。係合手段は、第３縁部の外側表面上に形成された、Ｌ字型のスロットまたは逆Ｌ字型のスロットなどの、２対のスロット１３０ａ、ｂを含み、各対のスロットは、対向する関係にあり、着脱機構およびフランジクリップ３１２ａ、ｂ、ｃ（図３Ａを参照）の受け取るための手段１１８に近接している。取付部６００上の対応する受け取るための手段６３０ａ、ｂの組み合わせでは（図６Ａを参照）、外付けレンズ装置は、取付部と整列され、Ｌ字型のスロットの脚部を取付部に対するスロット内に取り外し可能に固定するためにひねられる。
【００４５】
図１Ｂは、ベースプレート１１０の第１縁部１１４ａ上の組み立てられた機構１２０の配置を例証する。押しボタン１２１は、フランジ端部がＬ字型のスロットの１つへと伸びるように、第１縁部と同一平面上にある（図５Ａを参照）。Ｌ字型のスロットが取付部上のスロットと係合されるときに、フランジ端部は、スプリング１２４の作用によって、脚部に固定されるか又はクリップで留められる（図１Ａを参照）。押しボタンが内側に押されるときに、スプリングは、フランジを脚部から側方に押しのけ、外付けレンズ装置が、対応するＬ字型のスロットから解放されるように、取付部上の対応するＬ字型のスロットひねり離される及びひねり出されることを可能にする。
【００４６】
図２Ａは、ベースプレートに対して回転可能なレンズのターンテーブルの構成要素の構造的な図である。上部レンズプレート２１０は、３つのアーム２１４ａ、ｂ、ｃを含む上部プレート部分２１２ａを含み、そこにレンズホルダーが固定されることで（図３Ａを参照）、対のアーム間の３つの内側にアーチ形の開口部２１６ａ、ｂ、ｃを形成する。アームの端部は、プレートリップ２１８ａ、ｂ、ｃ（２１８ａ、ｃが示される）を形成する。上部プレート部分は、下部プレート部分２２０の上部表面２２２上に配置される。
【００４７】
上部プレート部分の上部表面は、止め具の組み合わせ２３０ａ、ｂ、ｃが中心に配置されたトラックなどの、レンズホルダー３００ａ、ｂ、ｃを固定するための手段を含む。レンズホルダーの止め具は、上部プレート部分表面から又はその上に形成された、隆起した半球形状を有する。これらは、レンズホルダーの下部表面の端部上で形成された対応する凹部３１４ａ、ｂ、ｃを受ける且つ係合するように構造上構成されるとで（図３Ｂを参照）、移動または押し合いがレンズホルダーを取り外さないように十分にレンズを外付けレンズ装置内に確実にする。ユーザーがレンズを利用したいときに、レンズホルダーリップ３０５ａ、ｂ、ｃによってレンズを持ち上げることは（図３Ａを参照）、止め具からレンズホルダーを着脱するのに十分である。
【００４８】
各アームは、上部レンズプレートおよび下部レンズプレートを介して配置された、内側にねじ山をつけた雌型取付用開口部２３２ａ、ｂ、ｃ（２３２ｂ、ｃが示される）を含む。各アームは、その端部に配置された及びそこから上方に伸びる、略円筒形状の第１スリーブ２３４ａ、ｂ、ｃを含む。各第１スリーブは、その上部表面上のねじ山をつけた雌型取付用開口部２３６ａ、ｂ、ｃを備える、上方部分、およびプラットフォームを形成する上方部分より長い直径を有する、下方部分を有し、プラットフォームでは、レンズスプリング３３０ａ、ｂ、ｃ（図３Ａを参照）が、上方部分の外側上に配置されたときに支持される。各アームは、アーチ形の外側表面を備える略角柱状の本体を有する、スペーサー２４０ａ、ｂ、ｃを含み、これは、その端部で一様に配置され、そこから上方に伸び、第１スリーブに近接している。各スペーサーは、その上部表面に配置された、スペーサー開口部２４２ａ、ｂ、ｃを含む。各アームは、上部プレート部分および下部プレート部分を介して下方に伸びるように配置された、および開いた下方端部を介してスプリング２４６ａ、ｂ、ｃを受けるように構造上構成された、略円筒形状の第２スリーブ２４５ａ、ｂ、ｃ、を含む。ベアリング２４７ａ、ｂ、ｃは、スプリングの下端内に配置され、ターンテーブルを適所に保持するために、ベース１１０の第２縁部１１４ｂの上部表面上の凹部１１７ａ、ｂ、ｃと係合するか又は対になるように構造上構成される。ユーザーによって回転されるまで、ターンテーブルは適所にとどまる。
【００４９】
下部レンズプレート２５０は、ベースプレート１１０上の第３縁部１１４ｃによって形成された下部表面１１２ｂ上の開口部内に適合するような、およびそれを閉じて、第３縁部の外側表面との略平滑な表面を形成するような直径を有する。取付構造２５１ａは、下部レンズプレートの上部表面２５１ｂから上方に伸び、３つのアーム２５２ａ、ｂ、ｃを有し、これらは、アームおよび上部レンズプレート２００上に形成されたアーチ形の開口部と構造上および整列可能に対応する、内側にアーチ形の開口部２５４ａｂ、ｃを形成する。各アームは、部レンズプレート２００上の取付用開口部２３２ａ、ｂ、ｃと整列する、内側にねじ山をつけた雌型取付用開口部２５５ａ、ｂ、ｃを含む。上部プレート部分のリップ２１８ａ、ｂ、ｃおよび下端部２１９ａ、ｂ、ｃ（２１９ａ、ｃが示される）が、それぞれ、ベース１１０の第１縁部のフランジ部分１１５ｂおよび第２縁部１１４ｂに静止または設置され、下部レンズプレートが、第３縁部の端部に周方向に当接するように設置されるときに、ねじ２４８ａ、ｂ、ｃは、上部レンズプレートを下部レンズプレートに固定し、その結果、ターンテーブルをベースに回転可能に固定する。
【００５０】
図２Ｂは、ベースプレートに固定された、組み立てられた回転可能なレンズのターンテーブルを描写する。特に、リップ１１８ｃが、第１縁部１１４ａのフランジ１１５ｂ上にどのように回転可能に静止するかが見られる。アーチ形の開口部２１６ａ、ｂ、ｃおよび２５４ａ、ｂ、ｃは、ターンテーブルが回転されるとで、第１縁部によって常に囲まれ、それによって、レンズホルダー３００ａ、ｂ、ｃ（図３Ｃ参照）は、回転、操作または他の移動の間に外付けレンズ装置から回転することができない。
【００５１】
図２Ｂを続けて参照すると、図３Ａは、レンズのターンテーブルに対するレンズホルダーの構造的な平面斜視図である。複数のレンズホルダー３００ａ、ｂ、ｃは、外側表面によって形成された曲線が、ベースプレート１１０上の第１縁部１１４ａの曲線と一致するようなアーチ形の輪郭であるコンマ形の形状を有する細長い本体を有する。レンズホルダーは、各々、レンズ保持部分３１０ａ、ｂ、ｃおよび固定部分３１５ａ、ｂ、ｃを含む。各レンズ保持部分は、その中に付けられたレンズ３５０ａ、ｂ、ｃを含み、それによって、上部レンズ表面は、レンズホルダーの上部表面より下に位置付けられる。固定部分は、固定部分の端部で、その上部表面および下部表面を介して配置された、略円筒形状の開口部３２０ａ、ｂ、ｃを含む。円筒形状の開口部は、レンズホルダーがターンテーブル２００に配置されるときに、レンズスプリング３３０ａ、ｂ、ｃおよび第１スリーブ２３４ａ、ｂ、ｃをその中に受けるための内径を有している。
【００５２】
レンズ保持部分に近接したアーチ形の外側表面の端部は、レンズホルダーを第１スリーブ２３４ａ、ｂ、ｃのまわりで外側に旋回させるための手段として構造上形成された、リップ３０５ａ、ｂ、ｃを含み、それをスマートフォン上のカメラレンズの前に位置付けるために持ち上げる。フランジクリップ３１２ａ、ｂ、ｃ（３１２ｂが示される；図３Ｂを参照）は、固定部分の内部表面から下方へ下がり、レンズ保持部分に近接して配置される。組立て後、ターンテーブルは、レンズ保持部分を含んでいる、２１６ｂ、２５４ｂによって表わされるような、開口部が、ベースプレート１１０（図２Ｂを参照）における開口部１１６と整列されるように回転する。レンズホルダーは、第１スリーブ２３４ａ、ｂ、ｃのまわりで外側に旋回し、ユーザーは、フランジクリップを、ベースプレート１００上のスロット１１８またはブラケットと係合させるためにレンズホルダーを下方へ押してもよく、それによって、レンズを、使用中にカメラレンズから離れて旋回しないように固定する。レンズホルダーを解放するために、ユーザーは、フランジクリップを着脱するためにレンズホルダーを上方に押し、その結果、レンズホルダーを、外付けレンズ装置へと旋回させて戻すことができる。
【００５３】
図３Ｂは、図３Ａの構造的な底面斜視図である。レンズ保持部分の内表面は、３１０ｃによって表わされるように、上部レンズプレート２００上の止め具２３０ａ、ｂ、ｃ（図２Ａを参照）を有するトラックと整列する表面において凹部３１４ａ、ｂ、ｃを含み、それによって、レンズホルダーが外側に配置されるときに固定される。該斜視図は、レンズホルダーの、３１５ｃによって表わされるような、固定部分上の３０５ｂ、ｃによって表わされるような、フランジクリップ３１２ａ、ｂ、ｃ、円筒形状の開口部３２０ａ、ｂ、ｃ、およびレンズ保持部分のリップの間位置関係を例証する。
【００５４】
図３Ｃは、レンズホルダーが上に配置された、ターンテーブルを描写する。レンズホルダーの固定部分は、スプリングの組み合わせとともに、３２４ｂによって表わされるように、第１スリーブ上に置かれる（図３Ａを参照）。第１スリーブの上方部分は、円筒形状の開口部３２０ａ、ｂ、ｃの上部端の内部から伸び、それによって、そのねじ山をつけた雌型取付用開口部２３６ａ、ｂ、ｃがアクセス可能となる。該斜視図は、２３４ｂによって示されるように、第１スリーブに対して３１２ｂによって示されるように、フランジクリップの位置関係を例証する。該斜視図はまた、レンズホルダーに対するターンテーブル上のスペーサー２４０ａ、ｂ、ｃの位置関係を例証する。レンズホルダーおよびスペーサーの外表面のアーチ形の輪郭は、ターンテーブル上に位置付けられたときに、外付けレンズ装置の外側表面を形成する。
【００５５】
図３Ｄは、レンズホルダーの固定を例証する切り取り図とともにターンテーブルの底面および側面の斜視図である。凹部３１４ｃは、止め具２３０ｃを備えるトラックと係合される。レンズホルダー３００ｃ上のレンズ保持部分のリップ３０５は、ユーザーによって、容易にアクセス可能であり、レンズホルダーを止め具から持ち上げて、レンズをスリーブ２３４ｃのまわりで回転させる。
【００５６】
図３Ｃを続けて参照すると、図４Ａは、ターンテーブルに対する外付けレンズ装置用のカバーの構造的な斜視図である。円形のカバー４００は、上部カバープレート４１２および下部カバープレート４０５を含む。下部カバープレートは、外側縁部４０６ａおよび内側縁部４０６ｂを含み、それらは、その上部表面のまわりで周方向に隆起され、その間のチャネル４０７を形成する。下部カバープレートは、ターンテーブル２００に固定されたときに、レンズホルダー３００ａ、ｂ、ｃにわたる直径に相当する外径を有する。下部カバープレートは、外側縁部および内側縁部の間に配置された複数の開口カバー４０８ａ、ｂ、ｃ、およびその下部表面に配置され、下方に下がっている、４０９ｂによって表わされるような、複数の固定アンカーを含む。下部カバープレートは、カバー開口部が、第１スリーブ上のねじ山をつけた取付用開口部２３６ａ、ｂ、ｃと整列し、固定アンカーが、対応するスペーサー開口部２４２ａ、ｂ、ｃへと挿入されて、下部カバープレートを所定の位置に維持するように、レンズホルダー上に位置付けられる。カバーねじ４１０ａ、ｂ、ｃは、カバー開口部を通ってスリーブ上のねじ山をつけた取付用開口部へと、下部カバープレートをレンズホルダーにねじ止めによって取り付ける。
【００５７】
図４Ｂは、ターンテーブル２００上の下部カバープレートに対する上部カバープレートの構造的な斜視図である。上部カバープレート４１２は、下部カバープレート４０５上の内側カバー縁部４０６ａと外側カバー縁部４０６ｂとの間のチャネルの収容を可能にする直径を有する、開口中心部および縁部４１６を有する。上部カバープレートは、外側カバープレート上の外側縁部と内側縁部との間のチャネル４０７へと押し込む又は挿入することによって固定され得、ここで、それぞれの直径は、上部カバープレートが適所に固定されて保持されるような直径である。あるいは、上部カバープレートは、当該技術分野に既知の及び標準的な手段、例えば、限定されないが、粘着剤または接着剤によって、下部カバープレートに付けられるか又は接着され得る。
【００５８】
図４Ｃは、組み立てられた外付けレンズ装置１００の平面および側面の斜視図であり、そのカバーの配置および固定を例証する。上部カバープレート４１２は、ねじ４１０ａ、ｂ、ｃ（図４Ｂを参照）のヘッドを覆い、下部カバープレート４０５をレンズホルダーに固定して、略平滑な表面を形成する。
【００５９】
図１Ａを続けて参照すると、図５は、外付けレンズのホルダー１００の底面および側面の斜視図である。着脱機構１２０およびベースプレート１１０上のスロット１１８またはブラケットの位置が例証される。その各々は、１対のＬ字型のスロット１３０ａ、ｂに近接して配置される。該斜視図から容易に明らかであるのは、ベースプレート上のＬ字型のスロットが、取付部６００（図６Ａを参照）上のＬ字型のスロット６３０ａ、ｂと対になるときに、解放中の押しボタン１２１を押しつけることによって、フランジ端部１２２を取付部上のＬ字型のスロットに係合させるということである。押しボタンの解放によって、その中に含まれる解放スプリング１２４（図１Ａを参照）は、減圧して、スロットの端部に対してフランジを引き戻し、取付部にそれを固定する。解放スプリング１２４の再圧縮は、フランジを取付部上のＬ字型のスロットから解放し、外付けレンズ装置の取付部からの解放を可能にする。
【００６０】
図６Ａは、外付けレンズ装置用の取付部を描写する。取付部６００は、スマートフォン６２０などの高性能機器上に配置されるか又はその裏面上に形成される。取付部は、実質的に高性能機器の裏面６２２との開いた上部表面レベルを有する裏面上に浅い空洞を形成する、円筒状本体を有する。２対のＬ字型のスロットまたは逆Ｌ字型のスロットなどの、受け取るための手段６３０ａ、ｂが、その上部端と下部表面との間の円筒状本体の内部表面６１０上に形成される。各々の対のＬ字型のスロット６３０ａ、ｂは、対向する関係で内部表面上に配置される。受け取るための手段は、ベースプレート上の対応する係合手段を取り外し可能に受ける且つ固定するための内部径を有して構造上構成され、それによって、固定したときに、ベースプレート１１０は、取付部の下部表面に接触し、ターンテーブル２００は、レンズをスマートフォン上のカメラレンズ６２５上に位置付けるために、ベースプレート上で回転され得る（図７Ａ−７Ｂを参照）。
【００６１】
図６Ｂは、スマートフォン上の取付部に対するベースプレートの構造的な斜視図である。外付けレンズ装置１００は、係合するＬ字型のスロット１３０ａ、ｂが、ベースプレート１１０上のスロット１１８に近接しており、スマートフォン上のカメラレンズ６２５にに近接した取付部６００上の受取りＬ字型のスロット６３０ａ、ｂと整列されるように、ユーザーによって位置付けられる。これによって、自然に、Ｌ字型のスロット（脚部１３０ｃが示される）の脚部１３０ｃ、ｄは、受取りＬ字型のスロット６３０ａ、ｂと整列する。
ユーザーは、押しボタン１２１を押し下げて、ベースプレートを取付部と係合させ、Ｌ字型のスロットの脚部１３０ｃ、ｄを、６３０ａ、ｂに位置付ける。外付けレンズ装置は、脚部を、受取りＬ字型のスロット６３０ａ、ｂの脚部６３０ｃ、ｄ内に固定するためにひねられる。
【００６２】
図７Ａは、取付部に固定された外付けレンズ装置を例証する。外付けレンズ装置１００は、カメラレンズ６２５に近接したスロット１１８を備えるスマートフォン６２０上に取り付けられる。レンズホルダー（図７Ｂを参照）が旋回するときに、レンズホルダー上のフランジクリップは、スロット１１８と係合し、それによって、レンズの使用時に、レンズホルダーが移動するのを防ぐ。
【００６３】
図７Ｂは、スマートフォン上のカメラレンズ上に位置付けられたレンズを例証する。レンズホルダー３００ａは、外付けレンズ装置１００から旋回され、レンズ３５０ａが、スマートフォン６２０上のカメラレンズ６２５上にあるようにドッキングされる。外付けレンズ装置の直径は、スマートフォンの幅未満である。外付けレンズ装置の構造上の構成は、レンズがカメラレンズ上に位置付けられ、適所に固定されるときに、使用中のレンズホルダーを含む装置のフットプリントが、スマートフォンの裏面によって画成された領域内に収容されるような寸法を有している。
【００６４】
図６Ａを続けて参照すると、図８Ａおよび８Ｂは、スマートフォン上のスクリーンを洗浄ためのクリーニング装置を描写する。クリーニング装置８００は、円形の上部本体部分８１０および下部本体部分８１２を備える円形の本体を有しており、取付部６００（図９Ａを参照）と係合する及びそれに固定されるように構造上構成される。図８Ａは、上部本体部分の下部表面から下方に下がり、上部本体部分より短い直径を有している、クリーニング装置の下部本体部分を例証する。ベースプレート１１０（図３Ｂを参照）と同様に、下部本体部分は、二対のスロット８３０ａ、ｂ、ｃ、ｄ、例えば、各対が、対向する関係で下部本体部分上に配置された、受け取るための手段６３０ａ、ｂ、ｃ、ｄ（図６Ａを参照）を係合するために、その上に形成された脚部８３０ｃ、ｄを含む、Ｌ字型のスロットまたは逆Ｌ字型のスロットを備える、係合手段８３０ａを含む。
【００６５】
フランジ端部８４２およびレバー端部８４１（図８Ｂを参照）を含む着脱機構８４０は、Ｌ字型のスロットの１つに沿った下部本体部分の外端上に配置される。フランジ端部は、取付部上の対応する受取りＬ字型のスロット６３０ａ、ｂの１つの脚部６３０ｃ、ｄと係合可能である（図９Ａを参照）。レバー端部は、上部本体部分の上部表面上に配置された、レバースロット８４４を通って伸びる。
【００６６】
クリーニングパッド８２０は、対のＬ字型のスロット間で縦方向に下部本体部分の下部表面に取り付けられるか又は固定される。クリーニングパッドの寸法は、その端部が、Ｌ字型のスロットおよび着脱機構を覆わない又は隠さないような寸法である。
【００６７】
図８Ｂは、クリーニング装置の上部体部分を例証する。上部体部分の上部表面８１４は、その上に配置され、使用されていないときにブラケット８５５ａ、ｂと固定可能な、キックスタンド８５０を含む。レバースロット８４４は、上部本体部分および下部本体部分を介して形成され、着脱機構のレバー端部８４１と整列する。レバー端部は、下部本体部分の下部表面からレバースロットを通って上方に伸びる。
【００６８】
図８Ａおよび８Ｂを続けて参照すると、図９Ａおよび９Ｂは、スマートフォン上の取付部に対するクリーニング装置の底面および平面の構造的な斜視図である。図９Ａは、クリーニング装置８００上のＬ字型のスロットの、取付部上の対応するＬ字型のスロットとの整列を例証する。クリーニング装置は、係合するＬ字型のスロット／脚部８３０ａ、ｂ、ｃ、ｄ（図８Ｂを参照）が、スマートフォン６２０上の取付部６００上の受取りＬ字型のスロット／脚部６３０ａ、ｂ、ｃ、ｄと整列されるように、ユーザーによって位置付けられる。ユーザーは、レバーを前に押すことで、クリーナ装置の下部本体部分を取付部と係合し、Ｌ字型のスロットの脚部８３０ｃ、ｄは、６３０ａ、ｂに位置付けられる。クリーニング装置は、脚部を、受取りＬ字型のスロットの脚部６３０ｃ、ｄ内に固定するためにひねられる。
【００６９】
図９Ｂは、スマートフォン上の取付部に対する着脱機構の整列を例証する。該斜視図および図８Ａで提供されるそことから容易に明らかであるのは、クリーニング装置上のＬ字型のスロットが、取付部上のＬ字型のスロットと対になるときに、着脱機構８４０上のレバー８４１を前に押すことによって、係合するＬ字型のスロット上の脚部８３０ｄが、取付部上の受取りＬ字型のスロット／脚部６３０ｂ、ｄ内に受け取られるように、フランジ端部８４２が引っ込むことである。レバー８４１の解放によって、フランジ端部は、スロットの端部を伸ばして、それと係合し、それを取付部に固定する。クリーニング装置を解放するために、ユーザーは、受取りＬ字型のスロットのない装置をひねり、それを取付部から引き出しながら、レバーを前に押してもよい。
【００７０】
図９Ａおよび９Ｂを続けて参照すると、図１０Ａは、取付部６００に固定されたクリーニング装置８００を例証する。固定されたときに、下部本体部分６１０および取付部の浅い円筒状本体の組み合わせは、クリーニングパッド用の保護空洞を形成する（図９Ａを参照）。クリーニング装置の上部体部分８１２の直径は、スマートフォン６２０の幅未満である。キックスタンド８５０を含むクリーニング装置の構造上の構成は、取付部に固定されたときのクリーニング装置のフットプリントが、スマートフォンの裏面によって画成された領域内に収容されるような寸法を有している。
【００７１】
図１０Ｂは、クリーニング装置の使用を例証する。クリーニング装置８００上のクリーニングパッド８２０（図６Ａを参照）は、スマートフォン上のスクリーン６２７を洗浄ために利用される。ユーザーは、上部体部分８２０の端部を握り、任意の配置でクリーニングパッド（図８Ａを参照）によってスクリーンを洗浄し得る。クリーニングパッドを含む、クリーニング装置のフットプリントは、スクリーンの領域内に収容される。
【００７２】
本発明は、言及される目的および利点に加えて、本明細書に固有の目的および利点を達成するように十分に適応している。上に開示された特定の実施形態は、例示目的のみであり、本発明は、本明細書の教示の利益を有している当業者に明白な、異なるが同等の方法で変更され得る且つ実施され得る。さらに、以下に記載される以外に示される本明細書に示される構成または設計の詳細に限定することは意図されていない。それ故、上に開示される特定の例示的な実施形態が、変更または修正され得、すべてのそのような変更が、本発明の範囲および精神内で考慮される。
【図１Ａ】
2015129930.tif 000003
【図１Ｂ】
2015129930.tif 000004
【図２Ａ】
2015129930.tif 000005
【図２Ｂ】
2015129930.tif 000006
【図３Ａ】
2015129930.tif 000007
【図３Ｂ】
2015129930.tif 000008
【図３Ｃ】
2015129930.tif 000009
【図３Ｄ】
2015129930.tif 000010
【図４Ａ】
2015129930.tif 000011
【図４Ｂ】
2015129930.tif 000012
【図４Ｃ】
2015129930.tif 000013
【図５】
2015129930.tif 000014
【図６Ａ】
2015129930.tif 000015
【図６Ｂ】
2015129930.tif 000016
【図７Ａ】
2015129930.tif 000017
【図７Ｂ】
2015129930.tif 000018
【図８Ａ】
2015129930.tif 000019
【図８Ｂ】
2015129930.tif 000020
【図９Ａ】
2015129930.tif 000021
【図９Ｂ】
2015129930.tif 000022
【図１０Ａ】
2015129930.tif 000023
【図１０Ｂ】
2015129930.tif 000024